【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
架橋型ポリウレタン−ウレアを含む光学接着剤であって、
前記架橋型ポリウレタン−ウレアは
少なくとも２つの異なるポリオールと、脂肪族イソシアネートとの混合物を含む、反応性イソシアネート終結型プレポリマー；
鎖延長剤；
架橋剤；および
前記脂肪族イソシアネートと水との当量比は１．０から１５．０までの範囲である水
を含む組成物から形成される、光学接着剤。
【請求項２】
前記少なくとも２つの異なるポリオールは、
式Ａ：
【化１】
2020530524.tif 000001
を有するポリカーボネートポリオール
（式中、「ｎ」は、３から６までの整数に等しいかまたはそれらの組合せであり；「Ｘ」は、式Ａの分子量をおよそ５００〜２５００ダルトンに等しいものとする整数である）；および
式Ｂ：
【化２】
2020530524.tif 000002
を有するポリエーテルポリオール
（式中、「Ｒ１」および「Ｒ２」は、水素またはアルキル基であり；「ｐ」は、１から３までの整数であり；「Ｍ」は、式（ＣＨ２）ｙを有し、「ｙ」は、１〜５からの整数であり；「ｚ」は、式Ｂの分子量を５００〜２５００ダルトンに等しいものとする整数である）
を含む、請求項１に記載の光学接着剤。
【請求項３】
前記架橋型ポリウレタン−ウレアは、重量にして：２０〜４５パーセントの１つまたは複数の脂肪族イソシアネート；２０〜４０パーセントの１つまたは複数のポリカーボネートポリオール；２０〜４０パーセントの１つまたは複数のポリエーテルポリオール；０．２〜５パーセントの１つまたは複数の鎖延長剤；０．０５〜８パーセントの１つまたは複数の架橋剤；および０．１〜１．２パーセントの水を含む組成物から形成される、請求項１に記載の光学接着剤。
【請求項４】
前記架橋型ポリウレタン−ウレアは、非プロトン性有機溶媒を含む組成物から形成される、請求項１に記載の光学接着剤。
【請求項５】
前記脂肪族イソシアネートは、４，４’ージシクロヘキシルメタンジイソシアネートを含む、請求項１に記載の光学接着剤。
【請求項６】
前記架橋剤は、３つ以上のアルコール官能基を有する多官能性アルコールを含む、請求項１に記載の光学接着剤。
【請求項７】
前記架橋剤は、３つ以上のイソシアネート官能基を有する多官能性イソシアネートを含む、請求項１に記載の光学接着剤。
【請求項８】
前記架橋型ポリウレタン−ウレアは、フォトクロミック染料をさらに含む組成物から形成される、請求項１に記載の光学接着剤。
【請求項９】
ポリカーボネートポリオールおよびポリエーテルポリオールからイソシアネート終結型プレポリマーを形成すること；および
前記イソシアネート終結型プレポリマーを鎖延長剤、架橋剤、および水と組み合わせることによって反応組成物を形成すること
を含む、光学接着剤を形成するための方法。
【請求項１０】
前記ポリカーボネートポリオールおよび前記ポリエーテルポリオールから前記イソシアネート終結型プレポリマーを形成することは、
式Ａ：
【化３】
2020530524.tif 000003
を有するポリカーボネートポリオール
（式中、「ｎ」は、３から６までの整数に等しいかまたはそれらの組合せであり；「Ｘ」は、式Ａの分子量をおよそ５００〜２５００ダルトンに等しいものとする整数である）；および
式Ｂ：
【化４】
2020530524.tif 000004
を有するポリエーテルポリオール
（式中、「Ｒ１」および「Ｒ２」は、水素またはアルキル基であり；「ｐ」は、１から３までの整数であり；「Ｍ」は、式（ＣＨ２）ｙを有し、「ｙ」は、１〜５からの整数であり；「ｚ」は、式Ｂの分子量を５００〜２５００ダルトンに等しいものとする整数である）
を含む組成物から前記イソシアネート終結型プレポリマーを形成することを含む、請求項９に記載の方法。
【請求項１１】
前記イソシアネート終結型プレポリマーを鎖延長剤、架橋剤、および水と組み合わせることによって反応組成物を形成することは、１．０から１５．０までのイソシアネートと水との当量比を採用することを含む、
請求項９に記載の方法。
【請求項１２】
前記イソシアネート終結型プレポリマーを鎖延長剤、架橋剤、および水と組み合わせることによって反応組成物を形成することは、フォトクロミック染料を前記反応組成物と混和することをさらに含む、請求項９に記載の方法。
【請求項１３】
前記イソシアネート終結型プレポリマーを鎖延長剤、架橋剤、および水と組み合わせることによって反応組成物を形成することは、静的着色剤、エレクトロクロム、紫外線吸収材、青色光遮断材、赤外光遮断材、光安定化剤、および抗酸化剤からなる群から選択される添加物を混和することをさらに含む、請求項９に記載の方法。
【請求項１４】
透明フィルム；
光学機能性フィルム；および
前記透明フィルムを前記光学機能性フィルムに接着する架橋型ポリウレタン−ウレア接着剤
を含み、
前記架橋型ポリウレタン−ウレア接着剤は
少なくとも２つの異なるポリオールと、脂肪族イソシアネートを含む混合物から形成された、反応性イソシアネート終結型プレポリマー；
鎖延長剤；
架橋剤；および
前記脂肪族イソシアネートと水との当量比は１．０から１５．０までの範囲である水
を含む組成物から形成される
光学機能性薄層。
【請求項１５】
前記透明フィルムは、ポリカーボネートを含む、請求項１４に記載の光学機能性薄層。
【請求項１６】
前記光学機能性フィルムは、偏光フィルムを含む、請求項１４に記載の光学機能性薄層。
【請求項１７】
前記光学機能性フィルムは、ポリビニルアルコールを含む、請求項１４に記載の光学機能性薄層。
【請求項１８】
前記架橋型ポリウレタン−ウレア接着剤は、
式Ａ：
【化５】
2020530524.tif 000005
を有するポリカーボネートポリオール
（式中、「ｎ」は、３から６までの整数に等しいかまたはそれらの組合せであり；「Ｘ」は、式Ａの分子量をおよそ５００〜２５００ダルトンに等しいものとする整数である）；および
式Ｂ：
【化６】
2020530524.tif 000006
を有するポリエーテルポリオール
（式中、「Ｒ１」および「Ｒ２」は、水素またはアルキル基であり；「ｐ」は、１から３までの整数であり；「Ｍ」は、式（ＣＨ２）ｙを有し、「ｙ」は、１〜５からの整数であり；「ｚ」は、式Ｂの分子量を５００〜２５００ダルトンに等しいものとする整数である）
を含む組成物から形成される、請求項１４に記載の光学機能性薄層。
【請求項１９】
前記架橋型ポリウレタン−ウレア接着剤は、フォトクロミック染料を含む、請求項１４に記載の光学機能性薄層。
【請求項２０】
ポリカーボネートポリオールとポリエーテルポリオールと脂肪族イソシアネートとを含む組成物から、イソシアネート終結型プレポリマーを形成すること；
ポリカーボネートポリオールとポリエーテルポリオールと脂肪族イソシアネートと水とを含む組成物から、ヒドロキシル終結型プレポリマーを形成すること；および
前記イソシアネート終結型プレポリマーとヒドロキシ終結型プレポリマーと架橋剤とを相互に反応させること
を含む、光学接着剤を形成するための方法。
【請求項２１】
ポリカーボネートポリオールとポリエーテルポリオールと脂肪族イソシアネートとを含む組成物からイソシアネート終結型プレポリマーを形成することは、
式Ａ：
【化７】
2020530524.tif 000007
を有するポリカーボネートポリオール
（式中、「ｎ」は、３から６までの整数に等しいかまたはそれらの組合せであり；「Ｘ」は、式Ａの分子量をおよそ５００〜２５００ダルトンに等しいものとする整数である）；および
式Ｂ：
【化８】
2020530524.tif 000008
を有するポリエーテルポリオール
（式中、「Ｒ１」および「Ｒ２」は、水素またはアルキル基であり；「ｐ」は、１から３までの整数であり；「Ｍ」は、式（ＣＨ２）ｙを有し、「ｙ」は、１〜５からの整数であり；「ｚ」は、式Ｂの分子量を５００〜２５００ダルトンに等しいものとする整数である）
を含む組成物から前記イソシアネート終結型プレポリマーを形成することを含む、請求項２０に記載の方法。
【請求項２２】
ポリカーボネートポリオールとポリエーテルポリオールと脂肪族イソシアネートと水とを含む組成物からヒドロキシル終結型プレポリマーを形成することは、
式Ａ：
【化９】
2020530524.tif 000009
を有するポリカーボネートポリオール
（式中、「ｎ」は、３から６までの整数に等しいかまたはそれらの組合せであり；「Ｘ」は、式Ａの分子量をおよそ５００〜２５００ダルトンに等しいものとする整数である）；および
式Ｂ：
【化１０】
2020530524.tif 000010
を有するポリエーテルポリオール
（式中、「Ｒ１」および「Ｒ２」は、水素またはアルキル基であり；「ｐ」は、１から３までの整数であり；「Ｍ」は、式（ＣＨ２）ｙを有し、「ｙ」は、１〜５からの整数であり；「ｚ」は、式Ｂの分子量を５００〜２５００ダルトンに等しいものとする整数である）
を含む組成物から前記ヒドロキシル終結型プレポリマーを形成することを含む、請求項２０に記載の方法。
【請求項２３】
ポリカーボネートポリオールとポリエーテルポリオールと脂肪族イソシアネートと水とを含む組成物からヒドロキシル終結型プレポリマーを形成することは、１．０から１５．０までのイソシアネートと水との当量比の範囲を採用することを含む、請求項２０に記載の方法。
【請求項２４】
前記イソシアネート終結型プレポリマーとヒドロキシ終結型プレポリマーと架橋剤とを相互に反応させることは、フォトクロミック染料を前記反応組成物と混和することをさらに含む、請求項２０に記載の方法。
【請求項２５】
前記イソシアネート終結型プレポリマーとヒドロキシ終結型プレポリマーと架橋剤とを相互に反応させることは、静的着色剤、エレクトロクロム、紫外線吸収材、青色光遮断材、赤外光遮断材、光安定化剤、および抗酸化剤からなる群から選択される添加物を混和することをさらに含む、請求項２０に記載の方法。